(57)【特許請求の範囲】
【請求項１】
横胴縁と上段の外壁材との間に下段の外壁材が配設されてこれら外壁材が鎧張り施工され、前記外壁材の内方に通気層が設けられた外壁の通気構造であって、
前記上段の外壁材と前記横胴縁との間には、前記横胴縁の上下両側の前記通気層同士を連通させる通気空間が形成されており、
前記下段の外壁材は、上端が前記横胴縁の外方に位置しかつ前記横胴縁の上端よりも下方に位置すると共に、該横胴縁の下方位置から前記下段の外壁材の上端まで切欠部が形成されており、
前記通気空間は、前記横胴縁、前記上段の外壁材及び前記下段の外壁材によって囲まれ、かつ、前記切欠部と、該切欠部よりも上方の前記横胴縁と前記上段の外壁材との間の空間とによって形成されている
ことを特徴とする外壁の通気構造。
【請求項２】
前記切欠部は千鳥状に配置されている
ことを特徴とする請求項１記載の外壁の通気構造。
【請求項３】
前記下段の外壁材は、左右方向に並設された複数の壁材により構成され、
前記各壁材の上端の少なくとも一方の角部には、切欠きが形成されており、
前記切欠部は、左右に隣接する一対の前記壁材を突き付けた状態で該両壁材の上端部間に形成される
ことを特徴とする請求項１又は２に記載の外壁の通気構造。
【請求項４】
最下段の外壁材の上端部が固定された横胴縁よりも下方の横胴縁には、上下両側の前記通気層同士を連通させる通気路が形成されている
ことを特徴とする請求項１乃至３のいずれか１項に記載の外壁の通気構造。
【発明の詳細な説明】
【技術分野】
【０００１】
本発明は、外壁の通気構造に関する。
【背景技術】
【０００２】
外壁の構造として、上下方向に並ぶ複数の横胴縁と、この横胴縁に固定された複数の外装材とを備えた構造が知られている（例えば、特許文献１参照）。
【０００３】
この種の外壁の構造は、外装材の裏側において通気をするために、最下段に配置されるスタータを支持する横胴縁を含む上下方向に並ぶすべての横胴縁の長手方向の途中に、上下方向に貫通した通気路が設けられる。この通気路は、例えば、長手方向に複数に分割された横胴縁間の隙間によって形成される。
【先行技術文献】
【特許文献】
【０００４】
【特許文献１】特開平１１−３０３２５４号公報
【発明の概要】
【発明が解決しようとする課題】
【０００５】
しかしながら、上記外壁の構造では、外装材の裏側で通気を確保するために、スタータを支持する横胴縁以外の横胴縁、すなわちスタータよりも上段の外装材を支持するための横胴縁にも通気路を設ける必要がある。
【０００６】
本発明は、上記事情に鑑みてなされたものであり、その目的とするところは、上下方向に並ぶ横胴縁のうちスタータを支持する横胴縁以外の横胴縁に通気路を設ける必要のない外壁の通気構造を提供することにある。
【課題を解決するための手段】
【０００７】
本発明の外壁の通気構造は、横胴縁と上段の外壁材との間に下段の外壁材が配設されてこれら外壁材が鎧張り施工され、前記外壁材の内方に通気層が設けられた外壁の通気構造であって、前記上段の外壁材と前記横胴縁との間には、前記横胴縁の上下両側の前記通気層同士を連通させる通気空間が形成されていることを特徴とする。
【０００８】
またこの外壁の通気構造において、前記通気空間は、前記横胴縁、前記上段の外壁材及び前記下段の外壁材によって囲まれて形成されている。
【０００９】
またこの外壁の通気構造において、前記下段の外壁材は、上端が前記横胴縁の外方に位置しかつ前記横胴縁の上端よりも下方に位置すると共に、該横胴縁の下方位置から前記下段の外壁材の上端まで切欠部が形成されており、前記通気空間は、前記切欠部と、該切欠部よりも上方の前記横胴縁と前記上段の外壁材との間の空間とによって形成されている。
【００１０】
また、この外壁の通気構造において、前記切欠部は千鳥状に配置されていることが好ましい。
【００１１】
また、この外壁の通気構造において、前記下段の外壁材は、左右方向に並設された複数の壁材により構成され、前記各壁材の上端の少なくとも一方の角部には、切欠きが形成されており、前記切欠部は、左右に隣接する一対の前記壁材を突き付けた状態で該両壁材の上端部間に形成されることが好ましい。
【００１２】
また、この外壁の通気構造において、最下段の外壁材の上端部が固定された横胴縁よりも下方の横胴縁には、上下両側の前記通気層同士を連通させる通気路が形成されていることが好ましい。
【発明の効果】
【００１３】
本発明の外壁の通気構造によれば、上下方向に並ぶ横胴縁のうちスタータを支持する横胴縁以外の横胴縁に通気路を設ける必要がなくなる。
【図面の簡単な説明】
【００１４】
【図１】本発明の一実施形態の外壁の通気構造の正面図である。
【図２】実施形態の外壁の通気構造の柱および防水シートの要部拡大斜視図である。
【図３】実施形態の壁下地の斜視図である。
【図４】実施形態において、壁下地にスタータを取り付けた状態の斜視図である。
【図５】実施形態において、スタータに第１の外壁材を取り付けた状態の斜視図である。
【図６】実施形態において、第１の外壁材の上方に第２の外壁材を取り付けた状態の斜視図である。
【図７】図１におけるＸ−Ｘ線拡大断面図である。
【図８】実施形態における空気の流れを説明する一部省略した正面図である。
【図９】実施形態の通気空間の変形例（変形例１）の斜視図である。
【図１０】実施形態の通気空間の更なる変形例（変形例２）の斜視図である。
【発明を実施するための形態】
【００１５】
以下、本発明の実施形態について添付図面に基づいて説明する。
【００１６】
本実施形態の外壁の通気構造は、図１に示すように、横胴縁３を有する壁下地１と、複数の外壁材４とを備えている。以下、壁下地１と外壁材４とが並ぶ方向を前後方向として定義し、前後方向のうち壁下地１側から外壁材４側に向かう方向を前方向と定義する。また、外壁材４の後方を外壁材４の内方といい、外壁材４の前方を外壁材４の外方という場合がある。
【００１７】
壁下地１は、複数の外壁材４を後方から支持する。壁下地１は、図２及び図３に示すように、左右方向に並設された互いに平行な複数の柱１１と、これら複数の柱１１の外方に配設された透湿防水シート１２と、この透湿防水シート１２の外方に上下方向に並設された複数の水平な横胴縁３とを備えている。これら横胴縁３に外方から上記外壁材４が固定されて、これら外壁材４と透湿防水シート１２との間に通気層１３（図６参照）が形成される。この通気層１３の厚み（前後幅）は、横胴縁３の前後幅と略同一である。
【００１８】
各柱１１は、図２に示すように、上下方向に延びた鉛直な部材である。本実施形態の柱１１は、間柱，管柱，または通し柱などにより構成される。各柱１１は、基礎２３上に設けられた土台２２上に立ち上げられている。なお、図示を省略するが、隣り合う柱１１間には、断熱材が充填される。
【００１９】
透湿防水シート１２は、外壁材４の裏側の上記通気層１３に浸入した水が断熱材にまで浸水するのを防ぐ。また、透湿防水シート１２は、水蒸気については透過するように構成されている。これにより、例えば、結露などにより断熱材が湿気を含んだとしても、この湿気が透湿防水シート１２及び通気層１３を介して、屋外に排出される。透湿防水シート１２の下端部は土台２２に固定されている。土台２２の前面には水切り２１が設けられており、通気層１３を流下する水は、水切り２１を介して下方に排出される。この透湿防水シート１２は、図３に示すように、柱１１と横胴縁３との間に挟まれて固定される。
【００２０】
複数の横胴縁３は、外壁材４を後方から支持する部材である。複数の横胴縁３は、複数の柱１１の前面に固定されている。各横胴縁３は、左右方向に延びており、具体的には、最も左側の柱１１から最も右側の柱１１までの全長に亙って設けられる。複数の横胴縁３は、上下方向に間隔をおいて配置されており、各横胴縁３の長手方向が互いに平行である。なお、横胴縁３としては、最も左側の柱１１から最も右側の柱１１までの全長に亙って連続する横胴縁３と、通気路８が設けられて後述するスタータ９（図４参照）を支持する横胴縁３とが含まれるが、この点については後に詳述する。
【００２１】
なお、本実施形態の外壁の通気構造においては、複数の柱１１に横胴縁３が固定されているが、複数の柱１１の前面に構造用面材が固定され、この構造用面材に複数の横胴縁３が固定されてもよい。この場合、構造用面材と横胴縁３との間に透湿防水シート１２が介装される。
【００２２】
このような構成の壁下地１には、図１に示すように、複数の外壁材４が固定される。複数の外壁材４は、壁下地１に固定された状態で、建物の外壁面を形成する。各外壁材４は、左右方向に長い横張り用の外壁材である。複数の外壁材４は、上段の外壁材４と下段の外壁材４とが上下方向に並ぶように鎧張り施工される。
【００２３】
以下、本実施形態の外壁材４を、下方から順に、第１の外壁材４１，第２の外壁材４２，第３の外壁材４３，第４の外壁材４４，…として定義する。なお、第２の外壁材４２よりも上方の外壁材４３，４４，…については、第１の外壁材４１と第２の外壁材４２との取付構造と同じである。このため、主に、下段の外壁材４としての第１の外壁材４１と、上段の外壁材４としての第２の外壁材４２との構造について詳述する。
【００２４】
第１の外壁材４１は、左右方向に並ぶ複数の壁材４１ａにより構成される。各壁材４１ａは、板状に形成された壁板により構成されており、例えば、一定の厚さ（本実施形態では、厚さ約６ｍｍ）を有する横長矩形状のセメント板で構成される。複数の壁材４１ａは、それぞれが同形同大に形成されている。各壁材４１ａは、図４に示すようなスタータ９を横胴縁３に固定した状態で、図５に示すように、当該スタータ９の前側に取り付けられる。複数の壁材４１ａは、同一平面上に突き付けられている。
【００２５】
各壁材４１ａには、上下方向の中間部に複数の固着具挿通孔５が設けられている。複数の固着具挿通孔５は、左右方向に所定の間隔をおいて設けられる。複数の固着具挿通孔５は、例えば、工場出荷時に予め設けられている。複数の横胴縁３のうち、１つの横胴縁３はこの固着具挿通孔５が設けられた位置に合わせて柱１１に固定され、その他の１つは各壁材４１ａの上端部の位置に合わせて柱１１に固定される（壁材４１ａの上端部の位置に合わせて固定された横胴縁３を第１の横胴縁３１という）。各壁材４１ａは、固着具挿通孔５を通した固着具によって、前記固着具挿通孔５の位置に合わせて配置された横胴縁３に固定される。また、各壁材４１ａの上端縁は、一定の上下幅（本実施形態では３０ｍｍ）を有する第１の横胴縁３１の上下方向の中間部（本実施形態では中央）に位置するように配置される。なお、ここでいう中間部とは上下方向の両端部を除く箇所をいい、中央とは上下方向の真ん中（下端縁から約１５ｍｍの箇所）を意味する。なお、横胴縁３１の上下幅は前述の値に限定されない。
【００２６】
各壁材４１ａの上角部には、切欠き６１が設けられている。切欠き６１は、各壁材４１ａの上方の角部を斜めにカットしたような形状に形成されている。切欠き６１は、各壁材４１ａの左右方向の両側の上角部に設けられている。切欠き６１は、矩形状の板材の角を斜めにカットして形成されたものであってもよいし、成形型で成形されたものであってもよい。複数の壁材４１ａを左右方向に並べて突き付けた状態で壁下地１に取り付けると、隣り合う一対の切欠き６１の下端同士が連続し、これにより、第１の外壁材４１の上端縁から下方に凹む切欠部６ａが形成される。
【００２７】
切欠部６ａは、図５に示すように、二等辺三角形状をなし、上方に行くに従って左右幅が大きくなり、そして上方に開口している。切欠部６ａは、第１の外壁材４１の上端縁の複数箇所に設けられる。各切欠部６ａの下端部は、第１の横胴縁３１の下端よりも下方に位置する。なお、本実施形態において、この切欠部６ａの下縁と横胴縁３１の下縁とで囲まれた開口７１は、左右方向の長さＬが６０ｍｍ，上下方向の長さｈが１０ｍｍ，断面積が約３００ｍｍ２の大きさに形成されている。
【００２８】
第２の外壁材４２は、図６に示すように、この第１の外壁材４１の上方に配置される。第２の外壁材４２は、その下端部が、第１の外壁材４１の上部に前方から重なるように固定される、いわゆる鎧張り施工がなされる。第２の外壁材４２も、第１の外壁材４１と同様、左右方向に並ぶ複数の壁材４２ａにより構成される。第２の外壁材４２の下端は、第１の外壁材４１の切欠部６ａの下端よりも下方に位置している。これにより、第１の外壁材４１の切欠部６ａは、第２の外壁材４２によって覆われている。なお、第２の外壁材４２を構成する各壁材４２ａは、第１の外壁材４１の壁材４１ａと同じであるため、詳しい説明を省略する。
【００２９】
第２の外壁材４２を構成する壁材４２ａは、第１の横胴縁３１（第１の外壁材４１の上端部を支持する横胴縁３）に固着具を介して固定される。壁材４２ａを貫通する固着具は、第１の外壁材４１を貫通しない位置、例えば第１の外壁材４１の上方に対応する位置に打ち込まれる。なお、第１の横胴縁３１の上方に配置される横胴縁３は、第２の外壁材４２の上端部を支持するようにして取り付けられる（この横胴縁３を第２の横胴縁３２という）。また、前記第１の外壁材４１の各壁材４１ａの上端部は、第１の横胴縁３１と第２の外壁材４２とによって前後方向に挟持固定されている。
【００３０】
第２の外壁材４２も、第１の外壁材４１と同様に、切欠部６ｂを有する。この第２の外壁材４２の切欠部６ｂは、第１の外壁材４１の切欠部６ａと同じ構造であるが、図１に示すように、第１の外壁材４１に設けられた切欠部６ａの直上から左右方向にずれた位置に配置されている。具体的に、第２の外壁材４２の切欠部６ｂは、左右方向に隣り合う一対の切欠部６ａ間中央の上方に位置する。
【００３１】
ここで、図１におけるＸ−Ｘ線断面を図７に示す。通気層１３は、通常は、第１の外壁材４１の上端部に対応する箇所において、第１の横胴縁３１によって上下に仕切られる。ところが、本実施形態の外壁の通気構造は、第１の外壁材４１の上端縁に、その下端部が第１の横胴縁３１の下端よりも下方に位置する切欠部６ａが設けられており、また、第１の外壁材４１の上方においてこの横胴縁３１と第２の外壁材４２の後面との間に隙間７が形成されている。このため、第１の横胴縁３１の下方の通気層１３と、当該横胴縁３１の上方の通気層１３とが、切欠部６ａと隙間７とを介して通ずる（つまり、この切欠部６ａと隙間７により通気空間７０が形成されている）。また、同様にして、第２の横胴縁３２の下方の通気層１３と当該横胴縁３の上方の通気層１３とが、第２の外壁材４２の切欠部６ｂと隙間７とを介して通じている。
【００３２】
この切欠部６ａと隙間７とで形成される通気空間７０は、横胴縁３と第１の外壁材４１と第２の外壁材４２に囲まれている。すなわち、通気空間７０が横胴縁３のすぐ外方に位置するため、通気空間７０を比較的短くすることができる。この結果、本実施形態の通気空間７０によれば、横胴縁３の上下両側の通気層１３同士を連通し易くできる。
【００３３】
また、最下段の外壁材であるスタータ９の上端部を支持する第１の横胴縁３１よりも下方に配置されるすべての横胴縁３には、図８に示すように、通気路８が設けられる。通気路８は、横胴縁３を上下方向に貫通している。本実施形態の通気路８は、最下部の横胴縁３を含めて、下方から４つの横胴縁３に設けられている。これら通気路８は、鉛直な直線上に並ぶように配置される。
【００３４】
本実施形態の外壁の通気構造は、図８に示すように、第１の外壁材４１の下方から当該第１の外壁材４１の後方の空間に空気を取り込む。取り込まれた空気は、通気路８及び通気層１３を上昇しながら通過する。その途中、第１の外壁材４１の切欠部６ａと隙間７とからなる通気空間７０を介して、第１の横胴縁３１の下方の通気層１３から上方の通気層１３に流れる。次いで、この空気は、第２の外壁材４２の切欠部６ｂを介して、第２の横胴縁３２の下方の通気層１３から上方の通気層１３に流れる。この空気は、第３の外壁材４３の切欠部６ｃ，第４の外壁材４の切欠部６ｄ，…と順に通過し、この後、例えば、軒下から排出される。
【００３５】
このとき、上下方向に並ぶ外壁材４の切欠部（例えば、第１の外壁材４１の切欠部６ａと、第２の外壁材４２の切欠部６ｂ）は、互いに左右方向にずれており、千鳥状に配置されているため、図８に示すように、外壁材４の裏側全体に万遍なく通気することができる。
【００３６】
＜効果＞
以上、説明したように、本実施形態の外壁の通気構造は、横胴縁３と上段の外壁材４（４２）との間に下段の外壁材４（４１）が配設されてこれら外壁材４が鎧張り施工され、外壁材４の内方に通気層１３が設けられた外壁の通気構造である。上段の外壁材４（４２）と横胴縁３との間には、横胴縁３の上下両側の通気層同士を連通させる通気空間７０が形成されている。
【００３７】
このように本実施形態の外壁の通気構造によれば、横胴縁３が設けられた構造であっても、横胴縁３の下方の通気層１３と横胴縁３の上方の通気層１３とを通気空間７０を介して連通できるため、スタータ９を支持する横胴縁３以外の横胴縁３に通気路８が設けられなくても、外壁材４の内方の通気層１３での通気を確保できる。この結果、本実施形態の外壁の通気構造によれば、スタータ９を支持するための横胴縁３以外の横胴縁３に対しては、通気路８を設けなくても、外壁材４の裏側において通気層１３を形成できる。このため、横胴縁３の取り付け作業を簡略化できる。そのうえ、通気空間７０は上段の外壁材４２に覆われるため、通気空間７０からの浸水も抑制できる。
【００３８】
また、本実施形態の外壁の通気構造は、次の付加的な構成を有する。すなわち、本実施形態の外壁の通気構造は、通気空間７０が、横胴縁３、上段の外壁材４（４２）、及び下段の外壁材４（４１）によって囲まれて形成されている。
【００３９】
このため、本実施形態の外壁の通気構造によれば、横胴縁３のすぐ外方の部位に通気空間７０が形成されるため、通気空間７０が比較的短くなり、横胴縁３の上方の通気層１３と下方の通気層１３とを連通しやすくできる。
【００４０】
また、本実施形態の外壁の通気構造は、下段の外壁材４（４１）の上端は、横胴縁３の外方に位置し、かつ横胴縁３の上端よりも下方に位置する。また、下段の外壁材４（４１）は、横胴縁３の下方位置から上端まで切欠部６ａが形成されている。通気空間７０は、切欠部６ａと、該切欠部６ａよりも上方の横胴縁３と上段の外壁材４（４１）との間の空間（隙間７）とによって形成されている。
【００４１】
このため、本実施形態の外壁の通気構造によれば、外壁材４に切欠部６ａを形成するだけで通気空間７０を形成でき、横胴縁３を設けた構造における通気層１３を容易に形成できる。
【００４２】
また、本実施形態の外壁の通気構造は、次の付加的な構成を有する。すなわち、本実施形態の切欠部６ａは千鳥状に配置されている。
【００４３】
このため、本実施形態の外壁の通気構造によれば、第１の外壁材４１および第２の外壁材４２の通気層１３での通気を蛇行させることができ、この結果、外壁材４の裏側全体に万遍なく通気することができる。
【００４４】
また、本実施形態の外壁の通気構造は、次の付加的な構成を有する。すなわち、本実施形態の下段の外壁材４（４２）は、左右方向に並設された複数の壁材４１ａにより構成される。各壁材４１ａの上端の少なくとも一方の角部には、切欠き６１が形成されている。切欠部６ａは、左右に隣接する一対の壁材４１ａを突き付けた状態で、該両壁材４１ａの上端部間に形成される。
【００４５】
このため、本実施形態の外壁の通気構造によれば、切欠き６１を形成するだけで切欠部６ａが形成でき、壁材４１ａの製造を容易にすることができる。
【００４６】
また、本実施形態の外壁の通気構造は、次の付加的な構成を有する。すなわち、本実施形態の外壁の通気構造は、最下段の外壁材４の上端部が固定された横胴縁３よりも下方の横胴縁３には、上下両側の通気層１３同士を連通させる通気路８が形成されている。
【００４７】
このため、本実施形態の外壁の通気構造によれば、第１の外壁材４１の下方から空気を取り込むような構造とすることができ、スタータ９の下側から通気をとることができる。
【００４８】
＜変形例１＞
上記実施形態の通気空間７０は一対の切欠き６１を隣合わせた切欠部６ａと隙間７とで構成されていたが、この切欠部６ａは、例えば、図９に示すような構造であってもよい（以下、この例を変形例１という）。
【００４９】
変形例１の切欠部１０６は、各壁材４１ａ，４２ａの左右方向の中間部分に設けられている。本変形例の切欠部１０６は、各壁材４１ａ，４２ａの上端縁から下方に凹むように設けられている。この切欠部１０６は、正面視半円形状に形成されている。
【００５０】
この切欠部１０６の下端部は、第１の横胴縁３１の下端よりも下方に位置している。これにより、横胴縁３１の下方の空間と横胴縁３１の上方の空間とが、切欠部１０６を介して通気できるように構成される。なお、その他の構造は、上記実施形態と同じである。
【００５１】
このような構造であっても、外壁材４の裏側において通気をするために、スタータ９の上端部を支持する横胴縁３よりも下方に位置する横胴縁３を除くすべての横胴縁３に対して通気路８を設ける必要がない。
【００５２】
＜変形例２＞
上記実施形態の通気空間７０は、例えば、図１０に示すような構造であってもよい（以下、この例を変形例２という）。
【００５３】
変形例２における外壁材４は、上端部がその後方に位置する横胴縁３よりも上方に突出している。そして、変形例２の通気空間７０は、横胴縁３に対応する箇所において、横胴縁３の幅方向に跨るようにして設けられた貫通孔５１により構成される。貫通孔５１は、上端が横胴縁３の上端よりも上方に位置し、かつ、下端が横胴縁３の下端よりも下方に位置している。また、貫通孔５１の下端は、上段の外壁材４（４２）の下端よりも上方に位置している。これにより、通気空間７０は、上段の外壁材４（４２）と横胴縁３との間に設けられる。この貫通孔５１は、外壁材４が設置された状態において、千鳥状に配置される。
【００５４】
このような構造であっても、外壁材４の裏側において通気をするために、すべての横胴縁３に対して通気路８を設ける必要がない。
【００５５】
＜応用＞
なお、上記実施形態および変形例１の第１の外壁材４１は、その上端部を支持するために第１の横胴縁３１が設けられており、この第１の横胴縁３１には第２の外壁材４２が固定されていたが、本発明においては、この構造に限定されない。すなわち、第１の横胴縁３１には、第２の外壁材４２ではなく、第１の外壁材４１の上端部が固定されてもよい。
【００５６】
また、上記実施形態の外壁の通気構造においては、第１の外壁材４１が建物の外壁の最下端の外壁材４であったが、第１の外壁材４１が外壁の上部を構成する外壁材であってもよく、取り付け位置は限定されない。また、第１の外壁材４１と第２の外壁材４２との構造が、建物の外壁の全てにおいて適用されていなくてもよい。
【００５７】
また、上記実施形態において、第１の横胴縁３１の下方に設けられた横胴縁３は、４つ設けられていたが、３つ以下であってもよい。また、第１の横胴縁３１の下方には横胴縁３が設けられなくてもよく、当該横胴縁３に代えて、土台２２に固定する構造のスタータが設けられてもよい。
【００５８】
また、上記実施形態の外壁材４は、横長矩形状のセメント板により構成されていたが、例えば、横長の木質板であってもよく、鎧張り可能なものであれば、材質は限定されない。
【００５９】
また、上記実施形態の切欠部６ａは、壁材４１ａの両上角部に設けられた切欠き６１のうち、一方の切欠き６１と、隣り合う壁材４１ａの一方の切欠き６１とで構成されたが、これに限定されない。例えば、壁材４１ａの両上角部のうちの一方の上角部にのみ切欠き６１を設け、この一方の切欠き６１により切欠部６ａを構成してもよい。
【００６０】
また、この他、上記実施形態の外壁の通気構造は、本発明の趣旨を逸脱しない範囲で適宜設計変更可能である。
【符号の説明】
【００６１】
１      壁下地
３      横胴縁
１３    通気層
３１    第１の横胴縁
３２    第２の横胴縁
４      外壁材
４１    第１の外壁材
４１ａ  壁材
４２    第２の外壁材
４２ａ  壁材
５      固着具挿通孔
６ａ    切欠部
６ｂ    切欠部
６ｃ    切欠部
６１    切欠き
７      隙間
７０    通気空間
８      通気路
【図１】
0006630080.tif 000002
【図２】
0006630080.tif 000003
【図３】
0006630080.tif 000004
【図４】
0006630080.tif 000005
【図５】
0006630080.tif 000006
【図６】
0006630080.tif 000007
【図７】
0006630080.tif 000008
【図８】
0006630080.tif 000009
【図９】
0006630080.tif 000010
【図１０】
0006630080.tif 000011